(57)【要約】【課題】従来のクライミング型タワークレーンでは、起伏ジブが下向きには回動出来なかった。そのため、暴風時等に安全のため起伏ジブの先端を他の構造物に固定しようとしても、クレーンより高い構造物がない限り、固定出来ないという問題点があった。【解決手段】  旋回台５の両側部にジブ基部受台２１を設け、それに起伏ジブ２０の基部を支持するようにした。そして、起伏ジブ２０の基部の構成を、旋回台５の両外側を通って上下に回動し得るような構成とした。これにより、起伏ジブ２０を水平よりも下方に回動させ、その先端をクレーンより遙かに低い構造物にも固定することが出来るようになり、暴風時等の安全性が向上する。仮に固定する物がなくとも、先端を下げておくことにより起伏ジブ２０の重心も下がり、マスト１４に近づけることが出来るので、安定度が増す。また、下げてある方が、上げてあるより見る人に安心感を与える。【選択図】図１
0003122148.tif 000002
【実用新案登録請求の範囲】
【請求項１】
マストの上の旋回台にクレーン機能装置および起伏ジブの基部が設置されているクライミング型タワークレーンにおいて、
前記旋回台の両側部に設けられたジブ基部受台と、
該ジブ基部受台に基部が支持され、前記旋回台より下方へも回動可能となるよう構成された起伏ジブと
を具えたことを特徴とするクライミング型タワークレーン。
【考案の詳細な説明】
【技術分野】
【０００１】
本考案は、長い起伏ジブを有するクライミング型タワークレーンに関するものである。
【背景技術】
【０００２】
高層ビル等の高い構造物を建造する場合には、工事の進捗状況に応じて必要とされるクレーンの高さが変化するが、その変化に対応させるべく、自らのクレーンで単位マストを継ぎ足してマストを組み上げ、順次高くすることが出来るクライミング型タワークレーンが、しばしば使用されている。このようなクライミング型タワークレーンには、しばしば長い起伏ジブが具えられている。
【０００３】
図５は、そのような従来のクライミング型タワークレーンの１例を示す図である。図５において、１はクライミング型タワークレーン、２はバックステー、３は起伏ワイヤ、４は吊上ワイヤ、５は旋回台、６は起伏ウィンチ、７は吊上ウィンチ、８は手すり、９は基部受台、１０は起伏ジブ、１１は手すり、１２は吊上フック、１３はクライミング装置、１４はマスト、１５は基礎マスト、１６はマスト支持体、１７は基礎ベースである。
【０００４】
このクレーンの構造は次のようになっている。
先ず基礎ベース１７の上に基礎マスト１５が立てられ、その周囲よりマスト支持体１６が基礎マスト１５を支えている。基礎マスト１５の上には、単位マストが幾つか継ぎ足され、マスト１４が立てられる。マスト１４の上端付近には、クライミング装置１３が取り付けられる。クライミング装置１３は、マスト１４に対し、旋回台５を上昇させたり下降させたりするための装置である。
【０００５】
クライミング装置１３の上方には旋回台５が取り付けられ、旋回台５の上には各種のクレーン機能装置が設置される。クレーン機能装置の主なものとしては、起伏ウィンチ６，吊上ウィンチ７，起伏ジブ１０等がある。それらに付随してバックステー２，起伏ワイヤ３，吊上ワイヤ４，吊上フック１２等も設けられる。
起伏ジブ１０が向く方向は、旋回台５を旋回させることにより制御され、起伏ジブ１０の起伏角度は、起伏ウィンチ６により起伏ワイヤ３を巻き上げたり繰り出したりすることにより制御される。吊上フック１２の上げ下げは、吊上ウィンチ７により、吊上ワイヤ４を巻き上げたり繰り出したりすることにより制御される。
【特許文献１】特開２０００−３２７２６５号公報
【特許文献２】特開２００１−１３０８７０号公報
【特許文献３】特開２００４−０５９３２１号公報
【考案の開示】
【考案が解決しようとする課題】
【０００６】
（問題点）
前記した従来のクライミング型タワークレーンには、起伏ジブが下向きには回動出来ないので、暴風時等に揺れ防止のため起伏ジブの先端を他の構造物に固定しようとしても、固定することが出来ないという問題点があった。
（問題点の説明）
この問題点を説明するため、先ず起伏ジブの基部付近の構造を説明する。
図４は、従来例における起伏ジブの基部付近の概要を示す図である。上方から見下ろした図であるが、符号は図５のものに対応し、１０Ａはジブ基部側面フレーム、１０Ｂはジブ基部スペース、１８はマスト中央開口である。
【０００７】
旋回台５の上には、まず長手方向両側にバックステー２が設置され、その間に起伏ウィンチ６や吊上ウィンチ７が設置されている。起伏ジブ１０の基部も設置されるが、その基部はバックステー２の間に位置するように配設される。即ち、起伏ジブ１０の両側のジブ基部側面フレーム１０Ａは、２つのバックステー２の間に配置され、ジブ基部側面フレーム１０Ａの端部は、旋回台５の端の方に設置された基部受台９に支持されている。そして、起伏ジブ１０は、起伏ウィンチ６や吊上ウィンチ７の上空において起伏される。
従って、起伏ジブ１０を下向きに回動しようとすると、起伏ジブ１０の基部が起伏ウィンチ６等に当たって壊してしまうことになるため、所定角度より下へは回動出来ないようにしてある。その所定角度は、通常、水平より上側に１５度ないし３０度程度である。
【０００８】
ところで、暴風時には長い起伏ジブ１０が揺れるなどして横風等に弱いなどの弱点があったため、先端をどこかに固定しておくなどの安全対策が必要とされる。しかし、起伏ジブ１０は水平より上を向いているから、マストが高く組み上げられている状態においては、起伏ジブ１０の先端の位置も高くなっている。それを固定するには、それに相当する高い構造物が近くに必要とされるわけであるが、高くなればなるほど近くに得られない場合が多い（低い構造物は幾らでもあるが）。そのため、結局、固定出来ずじまいになり、安全対策上好ましくない状態のままとされることが多かった。
本考案は、以上のような問題点を解決することを課題とするものである。
【課題を解決するための手段】
【０００９】
前記課題を解決するため、本考案では、マストの上の旋回台にクレーン機能装置および起伏ジブの基部が設置されているクライミング型タワークレーンにおいて、前記旋回台の両側部に設けられたジブ基部受台と、該ジブ基部受台に基部が支持され、前記旋回台より下方へも回動可能となるよう構成された起伏ジブとを具えることとした。
【考案の効果】
【００１０】
本考案のクライミング型タワークレーンによれば、起伏ジブを水平よりも下向きとなるよう回動することが出来るので、起伏ジブの先端をクレーンより遙かに低い構造物にも固定することが出来るようになり、暴風時等の安全性が向上する。
【考案を実施するための最良の形態】
【００１１】
以下、本考案の実施形態を図面に基づいて詳細に説明する。
図１は、本考案のクライミング型タワークレーンを示す図である。符号は図５のものに対応し、２０は起伏ジブ、２１はジブ基部受台である。図５と同じ符号のものは同様のものであるので、それらについての説明は省略する。図５の従来例と相違する点は、起伏ジブ２０の構造と、その旋回台５への取付け方である。
【００１２】
本考案では、ジブ基部受台２１を旋回台５の側部に取付け、そこに起伏ジブ２０の基部を支持するようにすると共に、起伏ジブ２０の基部を幅広にして、旋回台５の側方を通って、図中点線で示すように下方まで回動し得るようにした点である。
図３は、本考案における起伏ジブの基部付近の概要を示す図である。符号は図１，図４のものに対応し、２０Ａはジブ基部側面フレーム、２０Ｂはジブ基部スペースである。ジブ基部受台２１は旋回台５の側部に取り付けられ、ジブ基部側面フレーム２０Ａの端部は、そこに支持されている。従って、ジブ基部側面フレーム２０Ａは旋回台５の側方に位置することになるから、ジブ基部スペース２０Ｂは従来よりも広くなり（図４のジブ基部スペース１０Ｂ参照）、旋回台５をその中に充分収容し得るようになる。
そのため、起伏ジブ２０を旋回台５より下方へ回動しようとした場合、旋回台５およびその上に設置された起伏ウィンチ６や吊上ウィンチ７等に何らの支障を与えることなく、回動することが出来るようになる。
【００１３】
図２は、本考案のクライミング型タワークレーンを建物に取付支持した図である。符号は図１のものに対応し、２２は固定具、２３は建物である。建物２３は図示するように、起伏ジブ２０を水平とした場合の高さよりも、遙かに低い構造物である。従って、従来のクライミング型タワークレーンでは、その先端を建物２３に固定することなど出来ないことであった。しかし、本考案のクライミング型タワークレーンでは、起伏ジブ２０を水平より下方に回動することも出来るから、自らの高さより遙かに低い建物２３等の構造物に、ロープ等の固定具２２を用いて先端を固定することが可能となる。
【００１４】
このように起伏ジブ２０の先端を他の構造物に固定しておくと、暴風時でも起伏ジブ２０はあまり揺れず、安全性が大になる。なお、クレーンの周囲に、クレーンより低い構造物が存在する可能性は極めて高いから、容易に固定対象を見つけることが出来る。
仮に固定する物がない場合でも、先端を下げておくだけで起伏ジブ２０の重心を下げることが出来ると共に、その重心をより一層マスト１４に近づけることになるので、安定度が増す。
また、起伏ジブ２０の先端を上げたままの状態にしておくと、普段の作業状態と同じ姿であるから、一般人にはいかにも何の安全措置も講じずに放置したままとの感を与えるものである。しかし、先端が下げてあれば、普段の作業状態とは異なる姿であるから、きちんと安全措置を講じてあるなとの外観を呈するものとなり、近隣の人に安心感を与える。その結果、危険ではないかとの苦情が持ち込まれるのを、少なくすることが出来る。
【図面の簡単な説明】
【００１５】
【図１】本考案のクライミング型タワークレーンを示す図
【図２】本考案のクライミング型タワークレーンを建物に取付支持した図
【図３】本考案における起伏ジブの基部付近の概要を示す図
【図４】従来例における起伏ジブの基部付近の概要を示す図
【図５】従来のクライミング型タワークレーンの１例を示す図
【符号の説明】
【００１６】
１…クライミング型タワークレーン、２…バックステー、３…起伏ワイヤ、４…吊上ワイヤ、５…旋回台、６…起伏ウィンチ、７…吊上ウィンチ、８…手すり、９…基部受台、１０…起伏ジブ、１０Ａ…ジブ基部側面フレーム、１０Ｂ…ジブ基部スペース、１１…手すり、１２…吊上フック、１３…クライミング装置、１４…マスト、１５…基礎マスト、１６…マスト支持体、１７…基礎ベース、１８…マスト中央開口、２０…起伏ジブ、２０Ａ…ジブ基部側面フレーム、２０Ｂ…ジブ基部スペース、２１…ジブ基部受台、２２…固定具、２３…建物２３
【図１】
0003122148.tif 000003
【図２】
0003122148.tif 000004
【図３】
0003122148.tif 000005
【図４】
0003122148.tif 000006
【図５】
0003122148.tif 000007